(57)【特許請求の範囲】
【請求項１】
繊維材または繊維強化材からなる補強材を緊張させて、構造物の貼付面に貼り付けるための、緊張貼付装置であって、
ベース体と、
前記補強材の端側を支持するとともにその端側を引っ張って前記補強材を緊張させる緊張装置と、
前記ベース体に設けられて、前記補強材が前記貼付面から離れる第１位置と前記貼付面に当接あるいは近接する第２位置との間を、前記緊張装置が移動するようにその緊張装置を案内する案内手段と、
前記緊張装置を前記第１位置に保持する第１位置保持手段と、
前記緊張装置を前記第２位置に保持する第２位置保持手段とを有することを特徴とする、補強材の緊張貼付装置。
【請求項２】
請求項１に記載の緊張貼付装置において、
前記ベース体は、前記構造物に着脱可能に固定されることを特徴とする、補強材の緊張貼付装置。
【請求項３】
請求項２に記載の緊張貼付装置において、
前記ベース体は、前記構造物を両側から挟み込むようにして、その構造物に固定されることを特徴とする、補強材の緊張貼付装置。
【請求項４】
請求項１ないし３のいずれか１項に記載の緊張貼付装置において、
前記案内手段は、前記緊張装置に備わるスライド部材をスライドするように案内する、ガイドレールからなることを特徴とする、補強材の緊張貼付装置。
【請求項５】
請求項４に記載の緊張貼付装置において、
前記緊張装置は、前記補強材の端側が止められる定着具と、前記スライド部材に設けられて前記補強材の端側を引っ張るように前記定着具を移動させる移動手段とを備えることを特徴とする、補強材の緊張貼付装置。
【請求項６】
請求項５に記載の緊張貼付装置において、
前記移動手段は、前記定着具を支持する支持体と、前記スライド部材に設けられて前記支持体を前記定着具の移動方向にスライドするように案内する他のガイドレールと、ジャッキとからなり、
前記ジャッキの一方側が、前記スライド部材に取り付けられ、他方側が、前記支持体に取り付けられていることを特徴とする、補強材の緊張貼付装置。
【請求項７】
請求項６に記載の緊張貼付装置において、
前記スライド部材には、第１対向片が設けられ、
前記支持体には、そのスライド方向上に、前記第１対向片と対向する第２対向片が設けられ、
前記第１対向片と前記第２対向片とに、棒材または線材からなる保持部材が渡されて、前記第１対向片と前記第２対向片との間隔を保持するように、前記保持部材にナットが螺合していることを特徴とする、補強材の緊張貼付装置。
【請求項８】
請求項４に記載の緊張貼付装置において、
前記緊張装置は、前記スライド部材に回動可能に支持されて前記補強材の端側が止められるドラムと、前記補強材の端側を巻き取るように前記ドラムを回動する回動手段とを備えることを特徴とする、補強材の緊張貼付装置。
【請求項９】
請求項４ないし８のいずれか１項に記載の緊張貼付装置において、
前記緊張装置は、前記スライド部材に回動可能に支持されて、前記補強材の端側を、前記貼付面から離れる方向に案内するシフトドラムを備えることを特徴とする、補強材の緊張貼付装置。
【請求項１０】
請求項２または３に記載の緊張貼付装置において、
前記緊張装置によって、前記補強材は、前記第１位置にて仮緊張され、前記第２位置にて所要の緊張力が付与されるよう本緊張されることを特徴とする、補強材の緊張貼付装置。
【発明の詳細な説明】
【０００１】
【発明の属する技術分野】
この発明は、構造物に繊維材または繊維強化材からなる補強材を貼り付けることで、その構造物を補強する、補強材の緊張貼付装置に関するものである。
【０００２】
【従来の技術、および発明が解決しようとする課題】
従来、構造物として、例えば、橋や高架道路等のコンクリート桁あるいはプレストレストコンクリート桁を後から補強するにあたって、その桁の下面等に、補強材としての炭素繊維シートを何枚も貼り付けることで、その桁を補強することがあった。しかし、この補強方法によると、炭素繊維シートを、桁の断面係数の増加分にしか反映できず、炭素繊維シートを有効に利用しているとはいえなかった。
【０００３】
そこで、炭素繊維シートを緊張させて桁に貼り付けることで、桁にプレストレスを導入することが考えられた。しかし、この炭素繊維シートを緊張させて桁に貼り付けるための、緊張貼付装置にあっては、十分な開発がなされておらず、簡単に炭素繊維を緊張させて貼り付けることができる緊張貼付装置の開発が望まれていた。
【０００４】
この発明は、上記した従来の欠点を解決するためになされたものであり、その目的とするところは、簡単に補強材を緊張させて貼り付けることができる、補強材の緊張貼付装置を提供することにある。
【０００５】
【課題を解決するための手段】
この発明に係る補強材の緊張貼付装置は、前記目的を達成するために、次の構成からなる。すなわち、
請求項１に記載の発明に係る補強材の緊張貼付装置は、繊維材または繊維強化材からなる補強材を緊張させて、構造物の貼付面に貼り付けるための、緊張貼付装置であって、ベース体と、緊張装置と、案内手段と、第１位置保持手段と、第２位置保持手段とを有する。ここで、緊張装置は、前記補強材の端側を支持するとともにその端側を引っ張って前記補強材を緊張させる装置である。案内手段は、前記ベース体に設けられて、前記補強材が前記貼付面から離れる第１位置と前記貼付面に当接あるいは近接する第２位置との間を、前記緊張装置が移動するようにその緊張装置を案内するものである。そして、第１位置保持手段は、前記緊張装置を前記第１位置に保持する保持手段であり、第２位置保持手段は、前記緊張装置を前記第２位置に保持する保持手段である。
【０００６】
こうして、緊張装置により、補強材の端側が引っ張られて、その補強材は緊張することとなる。そして、ベース体に設けられた案内手段によって、緊張装置は、補強材が構造物の貼付面から離れる第１位置と、貼付面に当接あるいは近接する第２位置との間を、移動するように案内される。したがって、緊張装置が第１位置にあるとき、すなわち補強材が貼付面から離れているときに、補強材および／または貼付面に接着剤を塗布し、その後、緊張装置を第２位置に移動することで、補強材を貼付面に貼り付けることができる。このとき、第２位置保持手段によって、緊張装置は、接着剤が硬化するまで、第２位置に保持される。ここで、緊張装置による、補強材の緊張は、緊張装置が第１位置にあるときに行ってもよく、また、第２位置にあるときに行ってもよく、あるいは、第１位置と第２位置との間の位置等にあるときに行ってもよい。なお、緊張装置は、第１位置においては、第１位置保持手段によって第１位置に保持される。
【０００７】
また、請求項２に記載の発明に係る補強材の緊張貼付装置のように、請求項１に記載の緊張貼付装置において、前記ベース体は、前記構造物に着脱可能に固定されるのが望ましい。これにより、ベース体が構造物に固定されて、緊張装置によって補強材を緊張させると、その反力として、構造物に圧縮応力が付与される。このように、緊張した補強材を構造物の貼付面に貼り付ける際には、すでに構造物には圧縮応力が付与されているので、構造物からこの緊張貼付装置を取り除いた後に、補強材の緊張が緩むのを抑えることができる。
【０００８】
また、請求項３に記載の発明に係る補強材の緊張貼付装置のように、請求項２に記載の緊張貼付装置において、前記ベース体は、前記構造物を両側から挟み込むようにして、その構造物に固定されてもよい。こうして、構造物を両側から挟み込むことで、ベース体は構造物に固定されるので、構造物に、ベース体を固定するための特別の構造を設ける必要がない。
【０００９】
また、請求項４に記載の発明に係る補強材の緊張貼付装置のように、請求項１ないし３のいずれか１項に記載の緊張貼付装置において、前記案内手段は、前記緊張装置に備わるスライド部材をスライドするように案内する、ガイドレールからなっていてもよい。こうして、緊張装置に備わるスライド部材が、ガイドレールに案内されてスライドすることで、緊張装置は、前記第１位置と前記第２位置との間を移動することができる。
【００１０】
また、請求項５に記載の発明に係る補強材の緊張貼付装置のように、請求項４に記載の緊張貼付装置において、前記緊張装置は、前記補強材の端側が止められる定着具と、前記スライド部材に設けられて前記補強材の端側を引っ張るように前記定着具を移動させる移動手段とを備えてもよい。こうして、スライド部材に設けられた移動手段によって、補強材の端側を引っ張るように、その端側が止められた定着具が移動することで、補強材は、緊張することとなる。
【００１１】
また、請求項６に記載の発明に係る補強材の緊張貼付装置のように、請求項５に記載の緊張貼付装置において、前記移動手段は、前記定着具を支持する支持体と、前記スライド部材に設けられて前記支持体を前記定着具の移動方向にスライドするように案内する他のガイドレールと、ジャッキとからなっていてもよい。ここで、前記ジャッキは、その一方側が、前記スライド部材に取り付けられ、他方側が、前記支持体に取り付けられる。こうして、ジャッキが、スライド部材と支持体間に取り付けられて、ジャッキが作動すると、他のガイドレールに案内された支持体がスライドし、その支持体に支持された定着具が移動することで、その定着具に端側が止められた補強材は、緊張することとなる。
【００１２】
また、請求項７に記載の発明に係る補強材の緊張貼付装置のように、請求項６に記載の緊張貼付装置において、前記スライド部材には、第１対向片が設けられ、前記支持体には、そのスライド方向上に、前記第１対向片と対向する第２対向片が設けられ、前記第１対向片と前記第２対向片とに、棒材または線材からなる保持部材が渡されて、前記第１対向片と前記第２対向片との間隔を保持するように、前記保持部材にナットが螺合してもよい。これにより、スライド部材に設けられた第１対向片と、支持体に設けられた第２対向片とに、ナットが螺合した保持部材が渡されることで、第１対向片と第２対向片との間隔が保持され、つまりは、スライド部材と支持体との相対位置が保持される。こうして、スライド部材と支持体との相対位置が保持されることで、補強材の緊張した状態を維持することができる。
【００１３】
また、請求項８に記載の発明に係る補強材の緊張貼付装置のように、請求項４に記載の緊張貼付装置において、前記緊張装置は、前記スライド部材に回動可能に支持されて前記補強材の端側が止められるドラムと、前記補強材の端側を巻き取るように前記ドラムを回動する回動手段とを備えてもよい。こうして、回動手段によって、補強材の端側が止められたドラムが回動することで、そのドラムに補強材の端側が巻き取られるようにして引っ張られて、補強材は、緊張する。
【００１４】
また、請求項９に記載の発明に係る補強材の緊張貼付装置のように、請求項４ないし８のいずれか１項に記載の緊張貼付装置において、前記緊張装置は、前記スライド部材に回動可能に支持されて、前記補強材の端側を、前記貼付面から離れる方向に案内するシフトドラムを備えてもよい。こうして、シフトドラムによって、補強材の端側は、貼付面から離れる方向に案内されるので、貼付面の延長上に障害物がある場合でも、その障害物を避けてこの緊張貼付装置を配備することができる。
【００１５】
また、請求項１０に記載の発明に係る補強材の緊張貼付装置のように、請求項２または３に記載の緊張貼付装置において、前記緊張装置によって、前記補強材は、前記第１位置にて仮緊張され、前記第２位置にて所要の緊張力が付与されるよう本緊張されるのが望ましい。これにより、緊張装置が第１位置にあるとき、すなわち補強材が貼付面から離れているときに、補強材が仮緊張されて、その補強材は、ある程度真直ぐな状態となる。したがって、その仮緊張後に、補強材に接着剤を塗布すれば、その接着作業が容易となる。そして、緊張装置が第２位置にあるとき、すなわち補強材が貼付面に当接あるいは近接するときに、補強材は本緊張される。したがって、補強材が本緊張される際には、その補強材と、ベース体における構造物への固定部分とが接近しており、その固定部分が補強材の本緊張によって受ける負荷は小さくなる。
【００１６】
【発明の実施の形態】
以下、この発明に係る補強材の緊張貼付装置を、コンクリート構造物に適用した実施の形態につき、図面に基づいて説明する。
【００１７】
図１ないし図１９は、本発明に係る補強材の緊張貼付装置の第一の実施の形態を示す。図中符号１は、補強の対象となる構造物としての、例えば、橋や高架道路等のコンクリート桁である。２は、繊維材からなる補強材としての、ＰＢＯ（ポリパラフェニレンベンゾビスオキサゾール）連続繊維シートである。３は、前記ＰＢＯ連続繊維シート２を緊張させて、前記コンクリート桁１の貼付面１ａ（図示実施の形態においては、桁１の下面）に貼り付けるための、緊張貼付装置である。
【００１８】
この緊張貼付装置３は、ベース体４と、緊張装置５と、案内手段６と、第１位置保持手段７と、第２位置保持手段８とを有している。
【００１９】
ここで、ベース体４は、コンクリート桁１を両側から挟み込むようにして、そのコンクリート桁１に固定される。すなわち、ベース体４は、コンクリート桁の幅方向の各側に配備される被固定部材４ａと、各被固定部材４ａに固着されるベース部材４ｂとを備えている。そして、一対の被固定部材４ａ、４ａには、コンクリート桁１の直下において被固定部材４ａ、４ａに渡されるようにして、ＰＣ鋼材からなる緊張材４ｃ、４ｃが設けられている。そこで、この緊張材４ｃ、４ｃを、例えばジャッキ（図示せず）によって緊張させることで、一対の被固定部材４ａ、４ａがコンクリート桁１を両側から挟み込んで、それら被固定部材４ａ、４ａ、つまりは、ベース体４は、コンクリート桁１に固定されるようになっている。このとき、緊張材４ｃは、その緊張材４ｃに螺合するナット４ｄ、４ｄが締め込まれることで、その緊張状態が維持される。また、このとき、一対の被固定部材４ａ、４ａには、緊張材４ｃ、４ｃの下方に、間隔規制部材４ｅ、４ｅが設けられている。この間隔規制部材４ｅは、各端が、ピン４ｆによって、各被固定部材４ａに止められている。これにより、前記緊張材４ｃ、４ｃを緊張させたときに、被固定部材４ａ、４ａがその下端部分が互いに近づいて傾くのを、前記間隔規制部材４ｅ、４ｅが規制している。ベース部材４ｂ、４ｂは、それぞれ、被固定部材４ａの一端側（図１において右端側）にボルト４ｇ、４ｇによって固定されており、コンクリート桁１の下方において、互いに離れて対向するように位置している。このベース部材４ｂは、縦長の略長方形プレート状に形成されており、上端部分に、後述するジャッキ１５の一方側を取り付けるための、一対の第１の取付孔４ｈ、４ｈが設けられており、その下方に、上下方向に長手となる第１の長孔４ｉ、そして、さらに下方に、上下方向に長手となるとともに下端に達する第２の長孔４ｊが設けられている。
【００２０】
緊張装置５は、ＰＢＯ連続繊維シート２の端側を支持するとともにその端側を引っ張ってＰＢＯ連続繊維シート２を緊張させるものである。この緊張装置５は、ベース部材４ｂに設けられた後述する第１ガイドレール６ａによって、上下方向に、スライドするように案内されるスライド部材９を備えている。このスライド部材９は、縦長の略長方形プレート状に形成されており、上端部分に、後述するジャッキ１５の一方側を取り付けるための、一対の第２の取付孔９ａ、９ａが設けられており、下部部分には、上下方向に長手となるとともに下端に達する第３の長孔９ｂが設けられている。
【００２１】
また、緊張装置５は、スライド部材９に回動可能に支持されて、ＰＢＯ連続繊維シート２の端側を、コンクリート桁１の貼付面１ａから離れる方向に案内するシフトドラム１０を備えている。具体的には、一対のスライド部材９、９には、それらスライド部材９、９を繋ぐように第１シャフト９ｃが取り付けられており、この第１シャフト９ｃにシフトドラム１０が回動可能に嵌められることで、このシフトドラム１０は、第１シャフト９ｃを介して、スライド部材９に回動可能に支持されている。
【００２２】
さらに、緊張装置５は、ＰＢＯ連続繊維シート２の端側が止められる定着具１１と、前記スライド部材９に設けられてＰＢＯ連続繊維シート２の端側を引っ張るように定着具１１を移動させる移動手段１２とを備えている。定着具１１は、矩形プレート状の定着部１１ａと、その定着部１１ａの下端に溶接等により固定された筒部１１ｂとからなる。そして、定着部１１ａに、前記ＰＢＯ連続繊維シート２の端側が止められる。
【００２３】
一方、移動手段１２は、定着具１１を支持する支持体１３と、スライド部材９に設けられて支持体１３を前記定着具１１の移動方向にスライドするように案内する他のガイドレールとしての第２ガイドレール１４と、ジャッキ１５とからなる。そして、支持体１３は、上下方向に長手となる一対の支持体本体１３ａ、１３ａと、それら支持体本体１３ａ、１３ａを下端部分において繋ぐ第２シャフト１３ｂとからなる。支持体本体１３ａには、その下端部分に、ジャッキ１５の後述する他方側を取り付けるための第３の取付孔１３ｃが、４対、例えば５０ｍｍ間隔で上下に並ぶようにして設けられている。そして、第２シャフト１３ｂには、前記定着具１１の筒部１１ｂが回動可能に嵌められている。第２ガイドレール１４は、一つのスライド部材９に対して一対設けられている。そして、この第２ガイドレール１４は、断面略Ｌ字形状をして、支持体１３がスライドする方向となる上下方向に延びる向きで、前記スライド部材９に、ボルト１４ａ、１４ａにより固定されている。ジャッキ１５は、例えば、油圧ジャッキからなり、その一方側であるシリンダ１５ａ側には、取付け用の第１および第２の被取付孔１５ｂ、１５ｃが上下に並んで設けられており、その他方側であるラム１５ｄ側には、取付け用の第３の被取付孔１５ｅが一対設けられている。そして、この第２の被取付孔１５ｃと、スライド部材９の第２の取付孔９ａ、９ａとを貫くようにしてピンＰが挿通することで、ジャッキ１５の一方側は、スライド部材９に取り付けられる。そして、第３の被取付孔１５ｅ、１５ｅと、支持体本体１３ａの第３の取付孔１３ｃ、１３ｃを貫くようにしてピンＱが挿通することで、ジャッキ１５の他方側は、支持体１３に取り付けられる。なお、図示実施の形態においては、図５に示すように、ベース部材４ｂの第２の長孔４ｊ内において、ベアリング１３ｄが、支持体本体１３ａに固定された段付ピン１３ｅに嵌められている。したがって、支持体１３は、第２ガイドレール１４によって、スライド部材９に対してスライドするように案内されるだけでなく、第２の長孔４ｊによって、ベース部材４ｂに対してもスライドするように案内されている。
【００２４】
案内手段６は、ベース体４に設けられて、ＰＢＯ連続繊維シート２が貼付面１ａから離れる第１位置（図１、図２、図８ないし図１５参照）と貼付面１ａに当接あるいは近接する第２位置（図１６ないし図１９参照）との間を、前記緊張装置５が移動するようにその緊張装置５を案内するものである。具体的には、案内手段６は、緊張装置５におけるスライド部材９をスライドするように案内する、ガイドレールとしての第１ガイドレール６ａ、６ａからなっている。この第１ガイドレール６ａは、一つのベース部材４ｂに対して一対設けられている。そして、この第１ガイドレール６ａは、断面Ｌ字形状をして、スライド部材９がスライドする方向となる上下方向に延びる向きで、前記ベース部材４ｂに、ボルト６ｂ、６ｂにより固定されている。なお、図示実施の形態においては、図４に示すように、ベアリング９ｄが、ベース部材４ｂの第１の長孔４ｉ内において、第１シャフト９ｃに嵌められている。したがって、この第１の長孔４ｉによっても、スライド部材９は、ベース部材４ｂに対してスライドするように案内される。
【００２５】
第１位置保持手段７は、緊張装置５を前記第１位置に保持する保持手段であり、緊張装置５が第１位置に位置するときに、連通するように設けられた、スライド部材９側の保持孔９ｅと、ベース部材４ｂ側つまりはベース体４側の第１の孔４ｋと、それら保持孔９ｅおよび第１の孔４ｋに挿通する保持ピンＨとからなる。そして、第２位置保持手段８は、緊張装置５を前記第２位置に保持する保持手段であり、緊張装置５が第２位置に位置するときに、連通するように設けられた、スライド部材９側の前記保持孔９ｅと、ベース部材４ｂつまりはベース体４側の第２の孔４ｍと、それら保持孔９ｅおよび第２の孔４ｍに挿通する前記保持ピンＨとからなる。
【００２６】
また、スライド部材９には、第１対向片９ｇが設けられ、支持体１３には、そのスライド方向上に、第１対向片９ｇと対向する第２対向片１３ｇが設けられている。そして、第１対向片９ｇと第２対向片１３ｇとに、棒材または線材からなる保持部材Ｘが渡されて、第１対向片９ｇと第２対向片１３ｇとの間隔を保持するように、この保持部材ＸにナットＹ、Ｙが螺合している。詳細には、第１対向片９ｇは、スライド部材９の下端部に溶接等によって固定され、そして、第２対向片１３ｇは、支持体本体１３ａの上部であって、前記第１対向片９ｇよりも上方に、溶接等によって固定されている。そして、保持部材Ｘは、第１対向片９ｇの孔９ｈと、第２対向片１３ｇの孔１３ｈとを貫通するようにして、それら第１対向片９ｇと第２対向片１３ｇとに渡され、その渡された保持部材Ｘの各先端からねじ込まれるようにして、ナットＹ、Ｙが螺合している。そこで、ＰＢＯ連続繊維シート２を緊張させるように、スライド部材９に対して支持体１３を下方にスライドすると、第１対向片９ｇと第２対向片１３ｇとの間隔は狭まることとなる。そして、ナットＹを、第１の対向片９ｇや第２の対向片１３ｇに当接するまでねじ込むと、第１対向片９ｇと第２対向片１３ｇとの間隔は保持され、こうして、ＰＢＯ連続繊維シート２の緊張状態が維持される。
【００２７】
次に、以上の構成からなる緊張貼付装置３を用いてＰＢＯ連続繊維シート２をコンクリート桁１の貼付面１ａに貼り付ける貼付方法について説明する。
【００２８】
〈作業手順１〉
始めに、図８および図９に示すように、この緊張貼付装置３を、コンクリート桁１の、長手方向の各側に配置する。このとき、緊張装置５は、第１位置保持手段７によって、つまりは保持ピンＨがスライド部材９側の保持孔９ｅとベース体４側の第１の孔４ｋとに挿通することで、第１位置に保持されている。また、ジャッキ１５は、その一方側が、第２の被取付孔１５ｃと第２の取付孔９ａとに挿通するピンＰによって、スライド部材９に取り付けられており、その他方側が、第３の被取付孔１５ｅと第３の取付孔１３ｃ（図示実施の形態においては、最下部に位置する取付孔）とに挿通するピンＱによって、支持体１３に取り付けられている。そして、ＰＢＯ連続繊維シート２を、貼付面１ａに沿うようにして各側のシフトドラム１０に渡す。そして、各緊張貼付装置３において、ＰＢＯ連続繊維シート２の端側を、シフトドラム１０によって、貼付面１ａから離れる方向に方向転換するように案内し、つまり下方に案内し、定着具１１における定着部１１ａにボルト止めなどによって固定する。
【００２９】
〈作業手順２〉
次いで、図１０および図１１に示すように、ジャッキ１５を操作して、そのジャッキ１５を、例えば１００ｍｍ伸ばすと、その長さ分、スライド部材９に対して支持体１３が下方にスライドし、支持体１３に取り付けられた定着具１１を介して、ＰＢＯ連続繊維シート２の端側が引っ張られ、このＰＢＯ連続繊維シート２のタルミがとられる（仮緊張）。このとき、第１対向片９ｇと第２対向片１３ｇとは、近づくので、その近づいた距離分、保持部材Ｘに螺合する、例えば上側のナットＹを締め込む。こうして、スライド部材９と支持体１３との相対位置が保持され、ＰＢＯ連続繊維シート２の仮緊張の状態が維持される。
【００３０】
〈作業手順３〉
次いで、図１２および図１３に示すように、ジャッキ１５の他方側のピンＱを一旦外し、ジャッキ１５を、例えば１００ｍｍ縮める。そして、ピンＱを、ジャッキ１５の第３の被取付孔１５ｅと、支持体本体１３ａの第３の取付孔１３ｃ（図示実施の形態においては、下から３番目の取付孔）とに挿通させることで、ジャッキ１５の他方側を支持体１３に取り付ける。
【００３１】
〈作業手順４〉
次いで、図１４および図１５に示すように、ジャッキ１５の一方側のピンＰを外し、ジャッキ１５を伸ばす。そして、ピンＲを、ジャッキ１５の第１の被取付孔１５ｂと、ベース部材４ｂの第１の取付孔４ｈとに挿通させることで、ジャッキ１５の一方側をベース部材４ｂに取り付ける。その後、ＰＢＯ連続繊維シート２および／または貼付面１ａに接着剤を塗布する。なお、この接着剤の塗布においては、ＰＢＯ連続繊維シート２と貼付面１ａとのいずれか一方に塗布してもよく、また、それら両者に塗布してもよい。また、接着剤の塗布は、作業手順２（ＰＢＯ連続繊維シート２の仮緊張）の後であって、次の作業手順５の前であれば、いずれの段階で行ってもよい。
【００３２】
〈作業手順５〉
次いで、図１６および図１７に示すように、保持ピンＨを、保持孔９ｅおよび第１の孔４ｋから外す。そして、ジャッキ１５を縮め、支持体１３を介してスライド部材９を上方にスライドさせることで、緊張装置５を、上方の第２位置まで移動する。そこで、ピンＰを、ジャッキ１５の第２の被取付孔１５ｃと、スライド部材９の第２の取付孔９ａとに挿通させる。そして、第２位置保持手段によって、つまりは保持ピンＨをスライド部材９側の保持孔９ｅとベース体４側の第２の孔４ｍとに挿通させることで、緊張装置５を第２位置に保持する。こうして、ＰＢＯ連続繊維シート２は、貼付面１ａに当接あるいは近接し、このＰＢＯ連続繊維シート２は、塗布された接着剤を介して、貼付面１ａに密着することとなる。なお、ピンＰを、第２の被取付孔１５ｃと、第２の取付孔９ａとに挿通させた段階で、このピンＰと、前記ピンＲとにより、緊張装置５は、第２位置に保持される。したがって、これらピンＰ、Ｒ等を、第２位置保持手段と考えてもよい。
【００３３】
〈作業手順６〉
次いで、図１８および図１９に示すように、ジャッキ１５を操作して、そのジャッキ１５を伸ばすと、スライド部材９に対して支持体１３が下方にスライドし、支持体１３に取り付けられた定着具１１を介して、ＰＢＯ連続繊維シート２の端側が引っ張られ、このＰＢＯ連続繊維シート２は、緊張する。ここで、ＰＢＯ連続繊維シート２に所要の緊張力が付与されるまで、ジャッキ１５を伸ばす（本緊張）。このとき、スライド部材９の第１対向片９ｇと支持体本体１３ａの第２対向片１３ｇとは、近づくので、その近づいた距離分、保持部材Ｘに螺合する、例えば上側のナットＹを締め込む。こうして、スライド部材９と支持体１３との相対位置が保持され、ＰＢＯ連続繊維シート２の本緊張の状態が維持される。このようにして、この緊張貼付装置３によって、ＰＢＯ連続繊維シート２は、緊張した状態で、コンクリート桁１の貼付面１ａに貼り付けられ、接着剤の硬化後には、緊張貼付装置３は、コンクリート桁１から取り除かれる。
【００３４】
この緊張貼付装置３によれば、緊張装置５により、ＰＢＯ連続繊維シート２の端側が引っ張られて、そのＰＢＯ連続繊維シート２は緊張することとなる。すなわち、移動手段１２を構成するジャッキ１５が、スライド部材９と支持体１３間に取り付けられており、このジャッキ１５を操作すると、第２ガイドレール１４に案内された支持体１３が下方にスライドする。これにより、その支持体１３に支持された定着具１１が下方に移動し、その定着具１１に端側が止められたＰＢＯ連続繊維シート２が緊張する。
【００３５】
そして、スライド部材９に設けられた第１対向片９ｇと、支持体１３に設けられた第２対向片１３ｇとに、ナットＹ、Ｙが螺合した保持部材Ｘが渡されることで、第１対向片９ｇと第２対向片１３ｇとの間隔が保持され、つまりは、スライド部材９と支持体１３との相対位置が保持される。こうして、スライド部材９と支持体１３との相対位置が保持されることで、ＰＢＯ連続繊維シート２の緊張した状態を維持することができる。
【００３６】
また、緊張装置５に備わるスライド部材９が、ベース部材４ｂに固定された第１ガイドレール６ａ、６ａに案内されてスライドすることで、緊張装置５は、ＰＢＯ連続繊維シート２がコンクリート桁１の貼付面１ａから離れる第１位置と、貼付面１ａに当接あるいは近接する第２位置との間を、移動するように案内される。したがって、緊張装置５が第１位置にあるとき、すなわちＰＢＯ連続繊維シート２が貼付面１ａから離れているときに、ＰＢＯ連続繊維シート２および／または貼付面１ａに接着剤を塗布し、その後、緊張装置５を第２位置に移動することで、ＰＢＯ連続繊維シート２を貼付面１ａに貼り付けることができ、このように、簡単にＰＢＯ連続繊維シートを緊張させて貼付面１ａに貼り付けることができる。このとき、第２位置保持手段８によって、緊張装置５は、接着剤が硬化するまで、第２位置に保持される。
【００３７】
また、ベース体４はコンクリート桁１に固定されるので、そのベース体４に設けられた緊張装置５によってＰＢＯ連続繊維シート２を緊張させると、その反力として、コンクリート桁１に圧縮応力が付与される。このように、緊張したＰＢＯ連続繊維シート２をコンクリート桁１の貼付面１ａに貼り付ける際には、すでにコンクリート桁１には圧縮応力が付与されているので、コンクリート桁１からこの緊張貼付装置３を取り除いた後に、ＰＢＯ連続繊維シート２の緊張が緩むのを抑えることができる。そして、ベース体４をコンクリート桁１に固定するにあたっては、ベース体４は、コンクリート桁１を両側から挟み込むことで、コンクリート桁１に固定される。したがって、コンクリート桁１に、ベース体４を固定するための特別の構造を設ける必要がない。
【００３８】
また、シフトドラム１０によって、ＰＢＯ連続繊維シート２の端側は、貼付面１ａから離れる方向に案内されるので、貼付面１ａの延長上に障害物（例えば、橋脚等）がある場合でも、その障害物を避けてこの緊張貼付装置３を配備することができる。
【００３９】
また、緊張装置５が第１位置にあるとき、すなわちＰＢＯ連続繊維シート２が貼付面１ａから離れているときに、ＰＢＯ連続繊維シート２が仮緊張されて、そのＰＢＯ連続繊維シート２は、ある程度真直ぐな状態となる。したがって、その仮緊張後に、ＰＢＯ連続繊維シート２に接着剤を塗布すれば、その接着作業が容易となる。そして、緊張装置５が第２位置にあるとき、すなわちＰＢＯ連続繊維シート２が貼付面１ａに当接あるいは近接するときに、ＰＢＯ連続繊維シート２は本緊張される。したがって、ＰＢＯ連続繊維シート２が本緊張される際には、そのＰＢＯ連続繊維シート２と、被固定部材４ａつまりはベース体４におけるコンクリート桁１への固定部分とが接近しており、その固定部分がＰＢＯ連続繊維シート２の本緊張によって受ける負荷は小さくなる。よって、この緊張貼付装置３は、その強度や剛性がそれほど高く要求されることはない。
【００４０】
図２０ないし図２４は、本発明に係る補強材の緊張貼付装置の第二の実施の形態を示す。この第二の実施の形態における緊張貼付装置２１は、第一の実施の形態と比較すると、緊張装置の構造、並びに、第１および第２位置保持手段の構造が異なるが、他はほぼ同様であり、以下にその異なる部分を主に説明する。
【００４１】
緊張装置２２は、第一の実施の形態と同様に、補強材としてのＰＢＯ連続繊維シート２の端側を支持するとともにその端側を引っ張ってＰＢＯ連続繊維シート２を緊張させるものである。そして、緊張装置２２は、縦長の略長方形プレート状に形成されたスライド部材２３、２３を備えている。このスライド部材２３は、ベース部材４ｂに設けられた案内手段６としてのガイドレール6ａ、６ａによって、上下方向に、スライドするように案内される。すなわち、一対のスライド部材２３、２３には、それらスライド部材２３、２３を繋ぐように、上部には、第１シャフト２３ａが固定され、そして、下部には、第２シャフト２３ｂがベアリング２３ｃを介して回動可能に取り付けられている。そして、ベース部材４ｂに設けられたガイドレール６ａ、６ａ間において、第１ベアリング２３ｄが第１シャフト２３ａに嵌められ、また、第２ベアリング２３ｅが第２シャフト２３ｂに嵌められている。こうして、スライド部材２３は、第１および第２シャフト２３ａ、２３ｂ、並びに、第１および第２ベアリング２３ｄ、２３ｅを介すことで、ガイドレール6ａによって、ベース部材4ｂに対してスライドするように案内される。
【００４２】
また、緊張装置２２は、スライド部材２３に回動可能に支持されて、ＰＢＯ連続繊維シート２の端側を、構造物としてのコンクリート桁１の貼付面１ａから離れる方向に案内するシフトドラム２４を備えている。具体的には、シフトドラム２４が、前記第１シャフト２３ａに回動可能に嵌められることで、このシフトドラム２４は、第１シャフト２３ａを介して、スライド部材２３に回動可能に支持される。
【００４３】
さらに、緊張装置２２は、スライド部材２３に回動可能に支持されてＰＢＯ連続繊維シート２の端側が止められるドラム２５と、ＰＢＯ連続繊維シート２の端側を巻き取るようにドラム２５を回動する回動手段２６とを備えている。具体的には、ドラム２５が、前記第２シャフト２３ｂに嵌められて固定されることで、このドラム２５は、第２シャフト２３ｂと共に、スライド部材２３に回動可能に支持される。
【００４４】
一方、回動手段２６は、第１および第２のカムクラッチ２７、２８と、遥動レバー２７ａと、その遥動レバー２７ａを駆動する駆動手段２９とからなる。ここで、第１のカムクラッチ２７は、その入力側に遥動レバー２７ａが連結され、出力側に第２シャフト２３ｂが連結されており、遥動レバー２７ａが、駆動手段２９によって遥動運動すると、第２シャフト２３ｂ、すなわちドラム２５が、一方向（図２０、２３において、左回り方向）に間欠的に回動する。なお、第２のカムクラッチ２８は、第２シャフト２３ｂ、すなわちドラム２５が、逆回転するのを防ぐためのものである。また、駆動手段２９は、駆動ジャッキ２９ａと戻り手段としてのコイルスプリング２９ｂとからなる。そして、駆動ジャッキ２９ａが作動して伸びると、遥動レバー２７ａが一方向（図２０、２３において、左回り方向）に一定の角度回動し、その後、コイルスプリング２９ｂによって、遥動レバー２７ａは、逆方向に回動して、元の位置に戻るようになっている。こうして、回動手段２６によって、ＰＢＯ連続繊維シート２の端側が止められたドラム２５が回動することで、そのドラム２５にＰＢＯ連続繊維シート２の端側が巻き取られるようにして引っ張られて、ＰＢＯ連続繊維シート２は、緊張することとなる。
【００４５】
また、緊張貼付装置２１は、緊張装置２２を、ＰＢＯ連続繊維シート２がコンクリート桁１の貼付面１ａから離れる第１位置（図２０、２１参照）と貼付面１ａに当接あるいは近接する第２位置（図２３、２４参照）との間を移動させるためのジャッキ３０を備えている。すなわち、ジャッキ３０は、その一方側であるシリンダ３０ａ側が、ベース部材４ｂの上端に取り付けられ、他方側であるラム３０ｂ側が、スライド部材２３に取り付けられている。こうして、緊張装置２２は、ジャッキ３０が作動すると、案内手段６としてのガイドレール６ａに案内されて、第１位置と第２位置との間を移動する。そして、ジャッキ３０は、緊張装置２２が第１位置や第２位置に位置するときには、そのシリンダ３０ａとラム３０ｂとの相対位置が保持される。すなわち、緊張装置２２を第１位置に保持する第１位置保持手段３１や、緊張装置２２を第２位置に保持する第２位置保持手段３２の機能は、このジャッキ３０が受け持っている。もっとも、第１位置保持手段３１や第２位置保持手段３２は、第一の実施の形態と同様、第１位置や第２位置において、ベース部材４ｂと、スライド部材２３とを、保持ピンＨ等により直接止めるものであってもよい。
【００４６】
なお、本発明は、上述した実施の形態に限定されるわけではなく、その他種々の変更が可能である。例えば、貼付面１ａは、コンクリート桁１の下面でなくとも、側面や上面等であってもよく、また、補強される構造物は、コンクリート桁１だけでなく、橋脚、梁、柱、床版、その他のコンクリート構造物（鉄筋コンクリート構造物とかプレストレストコンクリート構造物等）であってもよく、また、コンクリート製の構造物に限定されるものでもなく、例えば、鋼製等の構造物であってもよい。
【００４７】
また、緊張装置５（２２）は、ＰＢＯ連続繊維シート２の端側を貼付面１ａから離れる方向に案内するシフトドラム１０（２４）を備えているが、このシフトドラム１０（２４）を備えることなく、ＰＢＯ連続繊維シート２の端側が、貼付面１ａに沿う方向に引っ張られてもよい。
【００４８】
また、緊張貼付装置３（２１）は、コンクリート桁１の、長手方向の各側に配置されるが、緊張装置５（２２）による、ＰＢＯ連続繊維シート２の緊張は、両方の緊張貼付装置３、３（２１、２１）にて行わなくとも、一方の緊張貼付装置３（２１）のみで行ってもよい。
【００４９】
また、緊張装置５（２２）による、ＰＢＯ連続繊維シート２の緊張、特に本緊張は、緊張装置５（２２）が第２位置にあるときに行わなくとも、第１位置にあるときに行ってもよく、あるいは、第１位置と第２位置との間の位置等にあるときに行ってもよい。また、ＰＢＯ連続繊維シート２の仮緊張は、特に必要なければ、行わなくともよい。
【００５０】
また、繊維材からなる補強材は、ＰＢＯ連続繊維シート２でなくとも、炭素繊維、ガラス繊維、アラミド繊維等の、繊維シートであってもよい。また、補強材は、繊維材からなるものでなくとも、ＰＢＯ繊維強化プラスチック、ガラス繊維強化プラスチック、その他の繊維強化プラスチック等の、繊維強化材からなるものであってもよい。
【００５１】
また、第二の実施の形態において、回動手段２６は、カムクラッチ２７、２８と駆動ジャッキ２９ａ等とを用いたものでなくとも、例えば、油圧トルクモータ等のトルクモータであってもよく、また、モータと減速機とを組み合わせたものや、人力と減速機等との組み合わせによる手動回動機構であってもよい。
【００５２】
【発明の効果】
以上、詳述したところから明らかなように、この発明に係る補強材の緊張貼付装置によれば、次の効果がある。
【００５３】
請求項１に記載された補強材の緊張貼付装置によれば、緊張装置が第１位置にあるとき、すなわち補強材が貼付面から離れているときに、補強材および／または貼付面に接着剤を塗布し、その後、緊張装置を第２位置に移動することで、補強材を貼付面に貼り付けることができるので、簡単に補強材を緊張させて貼り付けることができる。
【００５４】
また、請求項２に記載された補強材の緊張貼付装置によれば、請求項１の効果に加えて、構造物からこの緊張貼付装置を取り除いた後の、補強材の緊張の緩みを抑えることができる。
【００５５】
また、請求項３に記載された補強材の緊張貼付装置によれば、請求項２の効果に加えて、構造物を両側から挟み込むことで、ベース体が構造物に固定されるので、構造物に、ベース体を固定するための特別の構造を設けなくともよい。
【００５６】
また、請求項４に記載された補強材の緊張貼付装置によれば、請求項１ないし３のいずれか１項の効果に加えて、ガイドレールに案内されるスライド部材によって、緊張装置は、前記第１位置と前記第２位置との間を移動することができる。
【００５７】
また、請求項５、６に記載された補強材の緊張貼付装置によれば、請求項４の効果に加えて、移動手段によって、補強材の端側が止められた定着具が移動することで、補強材は緊張する。
【００５８】
また、請求項７に記載された補強材の緊張貼付装置によれば、請求項６の効果に加えて、保持部材によって、スライド部材と支持体との相対位置が保持されて、補強材の緊張した状態を維持することができる。
【００５９】
また、請求項８に記載された補強材の緊張貼付装置によれば、請求項４の効果に加えて、回動手段によって、ドラムが回動することで、そのドラムに補強材の端側が巻き取られるようにして引っ張られることで、補強材は緊張する。
【００６０】
また、請求項９に記載された補強材の緊張貼付装置によれば、請求項４ないし８のいずれか１項の効果に加えて、貼付面の延長上に障害物がある場合でも、その障害物を避けてこの緊張貼付装置を配備することができる。
【００６１】
また、請求項１０に記載された補強材の緊張貼付装置によれば、請求項２または３の効果に加えて、補強材が貼付面から離れているときに、補強材は、仮緊張されて、ある程度真直ぐな状態となるので、その後に、補強材に接着剤を塗布すれば、その接着作業が容易となる。そして、補強材が本緊張される際には、その補強材と、ベース体における構造物への固定部分とが接近しているので、その固定部分が補強材の本緊張によって受ける負荷を小さくすることができる。
【図面の簡単な説明】
【図１】この発明に係る補強材の緊張貼付装置の第一の実施の形態の、正面図である。
【図２】同じく、右側面図である。
【図３】同じく、図１におけるＡ−Ａ線による拡大断面図である。
【図４】同じく、図２におけるＢ−Ｂ線による拡大断面図である。
【図５】同じく、図２におけるＣ−Ｃ線による拡大断面図である。
【図６】同じく、図２におけるＤ−Ｄ線による拡大断面図である。
【図７】同じく、図２におけるＥ−Ｅ線による拡大断面図である。
【図８】同じく、作業手順１を示す正面図である。
【図９】同じく、作業手順１を示す右側面図である。
【図１０】同じく、作業手順２を示す正面図である。
【図１１】同じく、作業手順２を示す右側面図である。
【図１２】同じく、作業手順３を示す正面図である。
【図１３】同じく、作業手順３を示す右側面図である。
【図１４】同じく、作業手順４を示す正面図である。
【図１５】同じく、作業手順４を示す右側面図である。
【図１６】同じく、作業手順５を示す正面図である。
【図１７】同じく、作業手順５を示す右側面図である。
【図１８】同じく、作業手順６を示す正面図である。
【図１９】同じく、作業手順６を示す右側面図である。
【図２０】この発明に係る補強材の緊張貼付装置の第二の実施の形態の、緊張装置が第１位置にあるときの正面図である。
【図２１】同じく、緊張装置が第１位置にあるときの右側面図である。
【図２２】同じく、図２１におけるＦ−Ｆ線による要部拡大断面図である。
【図２３】同じく、緊張装置が第２位置にあるときの正面図である。
【図２４】同じく、緊張装置が第２位置にあるときの右側面図である。
【符号の説明】
１  コンクリート桁（構造物）      １ａ  貼付面
２  ＰＢＯ連続繊維シート（補強材）    ３  緊張貼付装置
４  ベース体                      ５  緊張装置
６  案内手段
６ａ  第１ガイドレール（ガイドレール）
７  第１位置保持手段              ８  第２位置保持手段
９  スライド部材                  ９ｇ  第１対向片
１０  シフトドラム                １１  定着具
１２  移動手段                    １３  支持体
１３ｇ  第２対向片
１４  第２ガイドレール（他のガイドレール）
１５  ジャッキ
Ｘ  保持部材                      Ｙ  ナット
２１  緊張貼付装置                ２２  緊張装置
２３  スライド部材                ２４  シフトドラム
２５  ドラム                      ２６  回動手段
【図１】
0003723469.tif 000002
【図２】
0003723469.tif 000003
【図３】
0003723469.tif 000004
【図４】
0003723469.tif 000005
【図５】
0003723469.tif 000006
【図６】
0003723469.tif 000007
【図７】
0003723469.tif 000008
【図８】
0003723469.tif 000009
【図９】
0003723469.tif 000010
【図１０】
0003723469.tif 000011
【図１１】
0003723469.tif 000012
【図１２】
0003723469.tif 000013
【図１３】
0003723469.tif 000014
【図１４】
0003723469.tif 000015
【図１５】
0003723469.tif 000016
【図１６】
0003723469.tif 000017
【図１７】
0003723469.tif 000018
【図１８】
0003723469.tif 000019
【図１９】
0003723469.tif 000020
【図２０】
0003723469.tif 000021
【図２１】
0003723469.tif 000022
【図２２】
0003723469.tif 000023
【図２３】
0003723469.tif 000024
【図２４】
0003723469.tif 000025